(57)【要約】【課題】２つに区分された収納部を同時開封する際に、表裏の引裂きズレを生じることなく、内容物がこぼれ落ちる恐れもなく、確実、かつ容易に開封することができ、開封状態が良好な液体小袋包装体を提供する。【解決手段】少なくとも、基材フィルム層とシーラント層からなる積層フィルムが、折返し状態にあり、その折返し辺を除く縁部分と、１つの袋体を２つの部位に区分する仕切りシール部とを、ヒートシールして２つに区分された収納部を設けた包装体であって、仕切りシール部に沿って２つ折りにして、２つに区分された収納部を同時に開封するための易開封性手段を、仕切りシール部に開口部に向かって斜め方向に少なくとも１つ設ける液体小袋包装体を特徴とする。【選択図】  図４
2004250041.tif 000002
【特許請求の範囲】
【請求項１】
少なくとも、基材フィルム層とシーラント層からなる積層フィルムが、折返し状態にあり、その折返し辺を除く縁部分と、１つの袋体を２つの部位に区分する仕切りシール部とを、ヒートシールして２つに区分された収納部を設けた包装体であって、仕切りシール部に沿って２つ折りにして、２つに区分された収納部を同時に開封するための易開封性手段を、仕切りシール部に開口部に向かって斜め方向に少なくとも１つ設けることを特徴とする液体小袋包装体。
【請求項２】
前記の易開封性手段が、開口部に向かって斜め方向の開封用切り込み、または、穴を設けることを特徴とする請求項１記載の液体小袋包装体。
【発明の詳細な説明】
【０００１】
【発明の属する技術分野】
本発明は、液体小袋包装体に関し、さらに詳しくは、２種類の異なる内容物をそれぞれ１種類ずつ区分して収納する袋体であって、２つに区分された収納部を同時開封する際に、表裏の引裂きズレを生じることなく、内容物がこぼれ落ちる恐れもなく、容易に開封することができ、開封状態が良好で、例えば、醤油、ソ−ス、香辛料等の調味料類、ス−プ類、果汁類、その他等の各種の液状ないし粘体状の飲食物、医薬品、化粧品等を充填包装してなる液体小袋包装体に関するものである。
【０００２】
【従来技術】
従来、液体ないし粘調体からなる調味料類、その他等を充填包装する液体小袋包装体としては、図６に示すようなプラスチックフィルムで、その折返し辺を除く縁部分にヒートシールし、仕切シール部をシールして、２つに区分された収納部を設けて袋体とし、折返し辺と対向する側辺部にノッチ等の易開封性手段を施し、例えば、餃子のたれとラー油等の２種類の異なる内容物を２つに区分された収納部にそれぞれ収納して液体小袋包装体とするものである。
而して、２つに区分された収納部を同時開封する際に、側辺部に設けたノッチを始点として開封するものである。
また、他の従来の液体小袋包装体としては、図７に示すように、２つに区分されたそれぞれの収納部を、各々の収納部に設けたＶ字形のノッチから開封するものである。
【０００３】
また、例えば、なおまた他の従来の液体小袋包装体としては、図８に示すように、上下二面のプラスチックフィルムの周辺端部、および、区分シール部をヒートシールして袋状とし、異種の液体あるいは流動体をそれぞれ１種類ずつ区分された２つの収納部を設けた封入袋に封入し、上部ノッチ５Ｔを収納部１、２へ向け、下部ノッチ５Ａを収納部１へ向け、下部ノッチ５Ｂを収納部２へ向けて設ける事を特徴にした液体或いは流動体封入袋が提案されている（特許文献１参照。）。
而して、特許文献１にかかる封入袋を同時開封する場合、上部ノッチを始点とし、収納部１、２を同時に開封するものである。
また、特許文献１にかかる収納部１、２を単独で取り出す場合、下部ノッチ５Ａ、または下部ノッチ５Ｂを始点とし、収納部１、または収納部２へ向けて単数の液体を任意に開封するものである。
【０００４】
【特許文献１】
登録実用新案第３０６０３３８号公報
【０００５】
【発明が解決しようとする課題】
しかしながら、図６や図８に示すような従来の液体小袋包装体の場合、上部ノッチ５Ｔを始点として収納部を開封する際に、ノッチを設けた側の収納部１は、裂開するものの、仕切りシール部までしか裂開せず、他方の収納部２を同時に裂開することが困難であり、無理に裂開すると、圧力がかかり、裂開する際に、内容物が飛散してしまうという問題点がある。
また、図７に示すような包装体を個々に開封する場合、残りの袋体を開封する際に最初に開封した袋体の内容物が手に付着しやすいという問題点がある。
【０００６】
【課題を解決するための手段】
そこで本発明者は、上記の課題を解決するために、鋭意研究の結果、本発明は、少なくとも、基材フィルム層とシーラント層からなる積層フィルムが、折返し状態にあり、その折返し辺を除く縁部分と、１つの袋体を２つの部位に区分する仕切りシール部とを、ヒートシールして２つに区分された収納部を設けた包装体であって、仕切りシール部に沿って２つ折りにして、２つに区分された収納部を同時に開封するための易開封性手段を、仕切りシール部に開口部に向かって斜め方向に少なくとも１つ設けることを特徴とする液体小袋包装体を製造したところ、醤油、ソ−ス、香辛料等の調味料類、ス−プ類、果汁類、その他等の各種の液状ないし粘体状の飲食物、医薬品、化粧品等のそれぞれ２種類の異なった種類の液体調味料をその２つの区分された収納部に収納した包装体の２つに区分された収納部を同時開封する際に、表裏の引裂きズレを生じることなく、内容物がこぼれ落ちる恐れもなく、容易に開封することができ、開封状態が良好な液体小袋包装体に係るものである。
また、上記において、前記の易開封性手段が、開口部に向かって斜め方向の開封用切り込み、または、穴を設けることを特徴とする液体小袋包装体を提供することができる。
【０００７】
【発明の実施の形態】
上記の本発明について以下に更に詳しく説明する。
まず、上記の本発明にかかるプラスチック製袋の構成についてその具体例を例示して図面を用いて説明すると、図１は、本発明にかかる液体小袋包装体を構成する積層材についてその一例の層構成を示す概略的断面図であり、図２は、図１に示す積層材を使用して製袋した液体小袋の構成を示す概略図であり、図３は、液体小袋の易開封性手段の一例を示す概略図であり、図４は、図２に示す液体小袋内に内容物を充填包装した液体小袋包装体の構成を示す概略図であり、図５は、図４に示す液体小袋包装体の開口状態の構成を示す概略的斜視図である。
【０００８】
図１は、本発明にかかる液体小袋包装体を構成する積層材についてその一例の層構成を示す概略的断面図である。
図１に示すように、本発明にかかる液体小袋包装体を構成する積層材としては、基材フィルム層１１、および、シーラント層１２を順次に積層させた構成からなる積層材１０を基本構造とするものである。
基材フィルム層１１は、一軸ないし二軸延伸フィルムであることが好ましいものである。
なお、必要に応じて、基材フィルム層１１とシーラント層１２との層間の接着力を向上させるために、接着層１３を設けてもよい。
また、基材フィルム層のどちらか一方の面に、文字、記号、図等の印刷絵柄層を設けてもよい。
【０００９】
図２は、図１に示す積層材を使用して製袋した液体小袋の構成を示す概略図である。
図２に示すように、上記の図１に示す積層材１０を使用し、これを折り返して、その最内層に位置するシーラント層１２の面を対向させて重ね合わせ、しかる後、その外周周辺の端部の二方をヒ−トシ−ルしてヒートシ−ル部３Ｓ、３Ａ、３Ｂ、および２つの収納部１、２に区分する仕切りシール部４をする本発明にかかる液体小袋２０を製造することができる。
なお、上記の図２において、仕切りシール部４の上部に、易開封性手段として、開口部の方向に、例えば、一文字形の開封用の切り込み６Ｂを施すものである。
易開封性手段としては、図２の形状に限定されるものはなく、図３に示すように、例えば、Ｖ字形の開封用の切り込み６Ｂや、菱形の穴７等を施すものであってもよい。
また、仕切りシール部４には、仕切りシール部４に沿ってミシン目を入れ、仕切りシール部に沿って２つ折りにしやすくして、２つに区分された収納部を同時に開封することができる。
また、仕切りシール部４に沿ってミシン目を入れることによって、２つに区分された収納部をミシン目よりカットして、収納部を１袋ずつに分けることもできる。
また、図示しないが、少なくとも一軸方向に延伸した基材フィルム層１を用いて、基材フィルムの延伸方向と、例えば、図２に示す液体小袋の易開封性手段の開封方向とを一致させるように製袋して、本発明にかかる液体小袋２０を製造することができる。
【００１０】
図４は、図２に示す液体小袋内に複数の異なった種類の内容物９Ａ、９Ｂを充填包装した液体小袋包装体の構成を示す概略図である。
図２に示すように、上記で製造した液体小袋２０を使用し、その開口部９から、例えば、ラー油と餃子のたれのような複数の異なった種類の液体、粘調体の内容物９Ａ、９Ｂを収納部１、２に、それぞれ充填し、次いで、その開口部９をヒ−トシ−ルして上端シ−ル部３Ｔを形成して、図４に示すような本発明にかかる液体小袋包装体３０を製造することができる。
【００１１】
図５は、図３に示す液体小袋包装体の開口状態の構成を示す概略的斜視図である。
図３に示すように、区分部４に沿って２つ折りにして、易開封性手段として、開封用の一文字形の切り込み６Ａ等を手に持って、開封用の一文字形の切り込み６Ａの部分を開封起点とし、上端シ−ル部３Ｔに向かって、斜め方向に引き裂くことにより、収納部１、２の上部の角隅部分において、同時に注ぎ口８を確実に、かつ容易に形成することができ、かつ、当該注ぎ口８を通して異なる種類の内容物９Ａ、９Ｂを同時に、こぼすことなく、容易に取り出すことができる。
また、仕切りシール部４に沿ってミシン目Ｙを設けることにより、上記の開封用の一文字形の切り込み６Ａを開封起点として２つ折りにして引き裂く際、仕切りシール部に沿って折りにしやすくなるため、より開封しやすくすることができて好ましいものである。
【００１２】
次に、本発明において、上記のような本発明にかかる液体小袋包装体３０を構成する材料、製造法等について説明すると、かかる材料、製造法等としては、種々の材料、製造法等を使用することができる。
まず、本発明において、本発明にかかる液体小袋包装体３０を構成する材料について説明すると、まず、基材フィルム１１としては、包装容器を構成する場合、基本素材となることから、機械的、物理的、化学的、その他等において優れた性質を有し、特に、強度を有して強靱であり、かつ耐熱性を有する樹脂のフィルムないしシ−トを使用することができ、具体的には、例えば、ポリエステル系樹脂、ポリアミド系樹脂、ポリアラミド系樹脂、ポリオレフィン系樹脂、ポリカ−ボネ−ト系樹脂、ポリスチレン系樹脂、ポリアセタ−ル系樹脂、フッ素系樹脂、その他等の強靱な樹脂のフィルムないしシ−ト、その他等を使用することができる。
而して、上記の樹脂のフィルムないしシ−トとしては、一軸方向、若しくは二軸方向に延伸した延伸フィルムを使用することが、延伸方向に沿って、容易に引裂くことができると共に、強度を有して強靱であり、機械的、物理的、化学的において優れた性質を有するため、好ましい。
その延伸方法としては、例えば、フラット法、インフレ−ション法等の方法で行うことができ、その延伸倍率としては、約２〜１０倍位のものを使用することができる。
そのフィルムの厚さとしては、５μｍ〜１００μｍ位、好ましくは、１０μｍ〜５０μｍ位が望ましい。
なお、本発明においては、上記のような樹脂のフィルムには、例えば、文字、図形、記号、絵柄、模様等の所望の印刷絵柄を通常の印刷法で表刷り印刷あるいは裏刷り印刷等が施されていてもよい。
かかる印刷層は、例えば、通常のインキ組成物を使用してオフセット印刷あるいはグラビア印刷、フレキソ印刷、凸版印刷、シルクスクリーン印刷、その他等の通常の印刷法等によって形成することができる。
【００１３】
次に、本発明において、積層材１０を構成するシーラント層１２の材料としては、熱によって溶融し相互に融着し得る樹脂のフィルムないしシ−トを使用することができ、具体的には、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレンまたはポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、その他等の樹脂のフィルムないしシ−トを使用することができる。
而して、上記のフィルムないしシ−トは、その樹脂を含む組成物によるコ−ティング膜の状態で使用することができる。
その膜もしくはフィルムないしシ−トの厚さとしては、５μｍ〜３００μｍ位が好ましく、１０μｍ〜１００μｍ位がより好ましい。
【００１４】
次にまた、本発明において、本発明にかかる積層材１０を構成するバリア層としては、酸素ガス、水蒸気等の透過を阻止するバリア性素材を使用することができ、図示しないが、例えば、基材フィルム層１１や、シーラント層１２の上に設けることができる。
上記の酸素ガス、水蒸気等の透過を阻止するバリア性素材としては、例えば、アルミニウム箔、アルミニウムの蒸着膜、酸化珪素あるいは酸化アルミウニム等の無機酸化物の蒸着膜、ポリ塩化ビニリデン系樹脂層、ビニルアルコ−ル樹脂層、エチレン−ビニアルコ−ル共重合体層、ポリアクリロニトリル樹脂層、ポリアミド系樹脂層、その他等を使用することができる。而して、本発明においては、上記のようなバリア性層は、前述の基材フィルムの片面に、物理気相成長法あるいは化学気相成長法等による蒸着方式、あるいは、ロ−ルコ−ト、グラビアロ−ルコ−ト、キスコ−ト、その他等のコ−ティング方式、グラビア印刷、オフセット印刷、転写印刷、その他等の印刷方式等によりバリア性層を形成し、その両者からなる複合化した形態からなる材料を使用することができる。
上記において、アルミニウム箔としては、厚さ５〜２０μｍ位、アルミニウムの蒸着膜、あるいは、酸化珪素あるいは酸化アルミウニム等の無機酸化物の蒸着膜としては、厚さ５０〜２０００Å位、ポリ塩化ビニリデン系樹脂層、ビニルアルコ−ル樹脂層、エチレン−ビニアルコ−ル共重合体層、ポリアクリロニトリル樹脂層、または、ポリアミド系樹脂層等からなる樹脂層としては、厚さ数μｍ〜５０μｍ位が好ましいものである。
その他、本発明において、バリア性層としては、樹脂に顔料等の着色剤、その他、所望の添加剤を加えて混練してフィルム化してなる遮光性を有する各種の着色樹脂のフィルムないしシ−ト等を積層することができる。
これらの材料は、一種ないしそれ以上を組み合わせて使用することができる。
【００１５】
なお、上記の各種の樹脂の１種ないしそれ以上を使用し、その製膜化に際して、例えば、フィルムの加工性、耐熱性、対候性、機械的性質、寸法安定性、抗酸化性、難燃性、ブロキング防止性、抗カビ性、電気的特性、強度、その他等を改良、改質する目的で、種々のプラスティック配合剤や添加剤等を添加することができる。
その添加量としては、極微量から数十％まで、その目的に応じて、任意に添加することができる。
上記において、一般的な添加剤としては、例えば、架橋剤、酸化防止剤、滑剤、紫外線吸収剤、光安定剤、充填剤、帯電防止剤、染料、顔料等の着色剤、その他等を使用することができ、更には、改質用樹脂等も使用することができる。
【００１６】
次に、上記の本発明において、上記のような材料を使用して、本発明にかかる積層材１０を積層する方法について説明すると、かかる方法としては、通常の包装材料を製造するときに使用するラミネ−トする方法、例えば、ウエットラミネ−ション法、ドライラミネ−ション法、無溶剤型ドライラミネ−ション法、押し出しラミネ−ション法、Ｔダイ共押し出し成形法、共押し出しラミネ−ション法、インフレ−ション法、その他等で行うことができる。而して、本発明においては、上記のラミネ−トを行う際に、必要ならば、例えば、コロナ処理、オゾン処理等の前処理をフィルムに施すことができ、また、例えば、イソシアネ−ト系（ウレタン系）、ポリエチレンイミン系、ポリブタジエン系、有機チタン系等のアンカ−コ−ティング剤、あるいはポリウレタン系、ポリアクリル系、ポリエステル系、エポキシ系、ポリ酢酸ビニル系、セルロ−ス系、その他等のラミネ−ト用接着剤等のアンカ−コ−ト剤、接着剤等を使用することができる。
【００１７】
また、本発明において、ドライラミネ−トする際の接着剤層１３を構成する接着剤としては、具体的には、ドライラミネ−ト等において使用される２液硬化型ウレタン系接着剤、ポリエステルウレタン系接着剤、ポリエ−テルウレタン系接着剤、アクリル系接着剤、ポリエステル系接着剤、ポリアミド系接着剤、ポリ酢酸ビニル系接着剤、エポキシ系接着剤、ゴム系接着剤、その他等を使用することができる。
【００１８】
次に、本発明において、本発明にかかる液体小袋を製造する方法について説明すると、かかる方法としては、上記で製造された積層材を使用し、そのシーラント層のフィルム面を内面になるようにして、折り返して重ね合わせ、しかる後、その外周周辺の端部の二方をヒ−トシ−ルしてヒ−トシ−ル部（３Ｓ、３Ａ、３Ｂ）を形成し、更に、２つの収納部１、２に区分する仕切りシール部（区分部）４を形成し、２つの開口部９を有する本発明にかかる液体小袋２０を製造することができる。
上記において、ヒ−トシ−ルの方法としては、例えば、バ−シ−ル、回転ロ−ルシ−ル、ベルトシ−ル、インパルスシ−ル、高周波シ−ル、超音波シ−ル等の方法で行うことができる。
【００１９】
次に、本発明において、上記のように本発明にかかる液体小袋２０を構成する袋体を製造し、仕切りシール部４に沿って２つ折りにして、２つの収納部１、２を同時に開封する易開封性手段を設ける方法について説明すると、かかる方法としては、該袋体の仕切りシール部４の上部に、カットや打ち抜き等によって、開口部に向かって斜め方向に、切り欠きや、穴開けをすることができる。
【００２０】
図３は、液体小袋の易開封性手段の一例を示す概略図である。
図３（ａ）に示すように、仕切りシール部４には、上方に設けられた切り込み６Ａは、開口部に向かって斜め方向に切り込みが入るように切り込み６Ａの形状をＶ字形にしてもよい。
また、図３（ｂ）に示すように、別形状の易開封性手段としては、仕切りシール部４においてその上方に設けられた孔７は、開口部に向かって斜め方向に切り口が形成されるように孔７の形状を菱形にすることが好ましい。
中でも、図２に示すように、仕切りシール部４に沿ってミシン目Ｙを設けることにより、上記の開封用の一文字形の切り込み６Ａを開封起点として引き裂く際、仕切りシール部に沿って２つ折りにしやすくなるため、より確実、かつ容易に開封することができるため、好ましいものである。
【００２１】
更に、本発明において、本発明にかかる液体小袋２０を使用し、内容物９Ａ、９Ｂとしてラー油とたれ等の２種類の液状飲食品を充填包装する方法については、ダイロール方式の液体自動充填機を使用し、具体的にはまず縦シール部３Ｓ、仕切りシール部４をシールし、次に、ラー油と、たれ等の液状飲食品を充填する充填ノズルから、液状飲食品を連続的に供給し、横シール３Ａ、３Ｂをシールしてラー油、たれ等の液状食品を連続的に充填する。而して、上記で２種類の内容物９Ａ、９Ｂを各収納部１、２に連続して供給しながら充填し、併せて、上端辺のシ−ル部３Ｔを形成し、内容物９Ａ、９Ｂが充填包装された図６に示すような小袋形態からなる包装製品３０を製造することができる。
また、図示しないが、底シール部３Ａ、３Ｂ、若しくは横シール部３Ｓにもノッチを設け、収納部１、２の片方のみに切り口を設けることができる。
また、収納部１、２を左右対称に設けなくとも、各々の切り口を正確に合わせることなく複数の収納部を同時開封することができるため、互いに異なった容量の収納部１、２を作成することもできる。
【００２２】
本発明において、上記のようにして製造した本発明にかかる液体小袋は、２種類の異なる内容物をそれぞれ１種類ずつ区分して収納することができ、例えば、醤油、ソ−ス、香辛料等の調味料類、ス−プ類、果汁類、その他等の各種の液状ないし粘体状の飲食物、医薬品、化粧品、洗剤等の工業製品、その他等の液状ないし粘調体の物品を充填包装するに適する液体小袋として使用することができ、このようにして得られた液体小袋包装体３０の２つに区分された収納部を同時開封する際に、仕切りシール部４に沿って２つ折りにして、易開封性手段を手に持って、開封用の一文字形の切り込み６Ａの部分を開封起点とし、上端シ−ル部３Ｔに向かって、斜め方向に引き裂くことにより、図５に示すように、収納部１、２の上部の角隅部分において、同時に注ぎ口８を容易に形成することができ、表裏の引裂きズレを生じることなく、内容物９Ａ、９Ｂがこぼれ落ちる恐れもなく、容易に開封することができるものである。
【００２３】
【実施例】
上記の本発明について次に実施例を挙げて更に具体的に説明する。
（実施例１）
基材フィルム層１１として、厚さ１５μｍの２軸延伸ナイロンフィルム（商品名「ナイロンＮ１１００」、東洋紡株式会社製）の片面に、その上に印刷層として、その上に、接着層１３として２液硬化型ポリウレタン系接着剤を３ｇ／ｍ２  （乾燥状態）塗布し、次いで、該塗布面に、シーラント層１２として、厚さ５０μｍの直鎖状低密度ポリエチレンフィルム（商品名「出光ユニテック  ＬＳ７２２ＣＮ」、出光ユニテック株式会社製）をドライラミネ−トして、層構成、２軸延伸ナイロンフィルム（１５μｍ）／印刷層／接着剤層（３ｇ／ｍ２）／直鎖状低密度ポリエチレンフィルム（厚さ５０μｍ）の本発明にかかる積層材１０を製造した。
次に、上記で製造した積層材を使用し、まず、縦７ｃｍ、横１３ｃｍの積層材１０を作製した。
次いで、上記の積層材を直鎖状低密度ポリエチレンフィルム層が内面となるように折り返し、縦シールと、１つの袋体を２つの部位に区分する仕切りシール部と、横シール部とを、それぞれヒートシールして、ヒ−トシ−ル部を形成し、２つに区分された収納部を設け、更に、仕切りシール部の上方に、カッタ−を使用して開口部に向かって斜め方向の開封用一文字形の切り込み６Ａを形成して、本発明にかかる液体小袋包装袋を製造した。
上記で製造した液体小袋包装袋の開口部から、餃子のたれとラー油を充填し、しかる後、上端部をヒ−トシ−ルして、液体小袋包装体を製造した。
上記の液体小袋包装体について、仕切りシール部４に沿って２つ折りにして、開封用の切り込み６Ａを手に持って、開封用の切り込み部分６Ａを開封起点とし、上端シ−ル部３Ｔに向かって、斜め方向に引き裂くことにより、２つの収納部の上部の角隅部分において、同時に注ぎ口を容易に形成することができ、かつ、該注ぎ口を通して餃子のたれとラー油を同時に、こぼすことなく、確実、かつ容易に取り出すことができた。
【００２４】
【発明の効果】
以上の説明で明らかなように、本発明は、少なくとも、基材フィルム層とシーラント層からなる積層フィルムが、折返し状態にあり、その折返し辺を除く縁部分と、１つの袋体を２つの部位に区分する仕切りシール部とを、ヒートシールして２つに区分された収納部を設けた包装体であって、仕切りシール部に沿って２つ折りにして、２つに区分された収納部を同時に開封するための易開封性手段を、仕切りシール部に開口部に向かって斜め方向に少なくとも１つ設けることを特徴とする液体小袋包装体を製造することによって、その２つの区分された収納部にそれぞれ２種類の異なった種類の液体調味料、醤油、ソ−ス、香辛料等の調味料類、ス−プ類、果汁類、その他等の各種の液状ないし粘体状の飲食物、医薬品、化粧品等を同一、または、異なった容量２つに区分された収納部を同時開封する際に、表裏の引裂きズレを生じることなく、内容物がこぼれ落ちる恐れもなく、容易に開封することができ、開封状態が良好な液体小袋包装体に係るものである。
また、本発明の液体小袋包装体は、従来の充填袋（例えば、特許文献１）と比較して、袋の大きさ、充填量によってシール板の変更をする必要がなく、生産性、コスト面において優れるという利点を有するものである。
また、本発明の液体小袋包装体は、従来の充填袋（例えば、特許文献１）の場合と比べて、消費者が開封する際、手で持つ部分の面積が広いため、より確実に、かつ、簡単に開封することができるという利点を有するものである。
【図面の簡単な説明】
【図１】本発明にかかる液体小袋包装体を構成する積層材についてその一例の層構成を示す概略的断面図である。
【図２】図１に示す積層材を使用して製袋した液体小袋の構成を示す概略図である。
【図３】液体小袋の別態様の易開封性手段の一例を示す概略図である。
【図４】図２に示す液体小袋内に内容物を充填包装した液体小袋包装体の構成を示す概略図である。
【図５】図４に示す液体小袋包装体の開口状態の構成を示す概略的斜視図である。
【図６】従来の易開封手段を設けた液体小袋包装体を示す概略図である。
【図７】従来の易開封手段を設けた液体小袋包装体を示す概略図である。
【図８】従来の易開封手段を設けた液体小袋包装体を示す概略図である。
【符号の説明】
１    第１収納部
２    第２収納部
３Ｔ  上端ヒートシール部
３Ｓ  縦ヒートシール部
３Ａ、３Ｂ  横ヒートシール部
４    仕切りシール部
５Ａ、５Ｂ、５Ｔ、５Ｓ  ノッチ
６Ａ、６Ｂ  切り込み
７    穴
８    注ぎ口
９    開口部
９Ａ、９Ｂ  内容物
１０  積層体
１１  基材フィルム層
１２  シーラント層
１３  接着剤層
２０  液体小袋
３０  液体小袋包装体
Ｙ    ミシン目
【図１】
2004250041.tif 000003
【図２】
2004250041.tif 000004
【図３】
2004250041.tif 000005
【図４】
2004250041.tif 000006
【図５】
2004250041.tif 000007
【図６】
2004250041.tif 000008
【図７】
2004250041.tif 000009
【図８】
2004250041.tif 000010